(57)【要約】【課題】利用者のひらめきの創出を支援し、ひらめき創出の効率化を図ることができる情報提供装置、情報提供方法、およびプログラムを提供することを目的とする。【解決手段】情報提供装置は、第１のキーワードと、第２キーワード群から抽出した第２のキーワードとを提示する情報提供装置であって、第１のキーワードに対応する複数の第２のキーワードから構成される第２キーワード群を記憶し、第２キーワード群を第２のキーワードのレベル毎に区分して記憶する第２記憶部と、第２キーワード群から第１のキーワードに対応する第２のキーワードを抽出するキーワード抽出部と、を備え、第１のキーワードは、ディスカッションテーマであり、第２キーワード群は、レベル毎に課金体系が異なっている。【選択図】図１
2019179484.tif 000002
【特許請求の範囲】
【請求項１】
第１のワードと、第２ワード群から抽出した第２のワードとを提示する情報提供装置であって、
前記第１のワードに対応する複数のワードから構成される前記第２ワード群を記憶し、前記第２ワード群を前記ワードのレベル毎に区分して記憶する第２記憶部と、
前記第２ワード群から前記第１のワードに対応するワードを前記第２のワードとして抽出するワード抽出部と、
を備え、
前記第１のワードは、ディスカッションテーマであり、
前記第２ワード群は、レベル毎に課金体系が異なっている、情報提供装置。
【請求項２】
前記ワードのレベルは、前記ワード抽出部によって過去に抽出された回数である、請求項１に記載の情報提供装置。
【請求項３】
前記第２のワードは、所定の専門家によって予め設定されたものである、請求項１または請求項２に記載の情報提供装置。
【請求項４】
当該情報提供装置は、アプリケーションによって動作し、前記レベルに基づき、かつ前記アプリケーションの動作状況に応じて課金する、請求項１から請求項３のいずれか１項に記載の情報提供装置。
【請求項５】
前記動作状況は、閲覧回数と閲覧時間のすくなくとも１つである、請求項４に記載の情報提供装置。
【請求項６】
前記アプリケーションは、ＷＥＢ上で動作されるものである、請求項４または請求項５に記載の情報提供装置。
【請求項７】
前記アプリケーションは、記録媒体で提供されるものである、請求項４または請求項５に記載の情報提供装置。
【請求項８】
少なくとも１つのワードから構成される第１ワード群を記憶し、前記第１ワード群にディスカッションテーマのワード群を記憶しておく第１記憶部と、
前記第１ワード群からワードを前記第１のワードとして抽出する第１のワード抽出部と、を更に備え、
当該情報提供装置は、前記第２のワードを抽出する前に前記レベルを提示し、提示した前記レベルの中から選択されたレベルに設定し、
前記第１のワード抽出部が抽出した前記第１のワードと、前記ワード抽出部が前記設定されたレベルの前記第２ワード群の中から抽出した前記第２のワードと、を提示する、請求項１から請求項７のいずれか１項に記載の情報提供装置。
【請求項９】
第１のワードに対応する複数のワードから構成される第２ワード群を記憶し、前記第２ワード群が前記ワードのレベル毎に課金体系が異なっており、前記第２ワード群を前記ワードの前記レベル毎に区分して記憶する第２記憶部を有する情報提供装置における情報提供方法であって、
前記情報提供装置が、ディスカッションテーマである前記第１のワードを設定するステップと、
前記情報提供装置が、前記レベルを提示し、提示した前記レベルの中から選択されたレベルに設定するステップと、
前記情報提供装置が、前記第２ワード群から前記第１のワードに対応するワードを第２のワードとして抽出するワード抽出するステップと、
前記情報提供装置が、前記第１のワードと、前記第２のワードとを提示する提示ステップと、
前記情報提供装置が、前記レベルと、前記提示の閲覧回数と閲覧時間の少なくとも１つとに基づいて、使用料金を計算して課金する課金ステップと、
を含む情報提供方法。
【請求項１０】
第１のワードに対応する複数のワードから構成される第２ワード群を記憶し、前記第２ワード群が前記ワードのレベル毎に課金体系が異なっており、前記第２ワード群を前記ワードの前記レベル毎に区分して記憶する第２記憶部を有する情報提供装置のコンピュータに、
ディスカッションテーマである前記第１のワードを設定するステップと、
前記レベルを提示し、提示した前記レベルの中から選択されたレベルに設定するステップと、
前記第２ワード群から前記第１のワードに対応するワードを第２のワードとして抽出するワード抽出するステップと、
前記第１のワードと、前記第２のワードとを提示する提示ステップと、
前記レベルと、前記提示の閲覧回数と閲覧時間の少なくとも１つとに基づいて、使用料金を計算して課金する課金ステップと、
を実行させるプログラム。
【発明の詳細な説明】
【技術分野】
【０００１】
本発明は、情報提供装置、情報提供方法、およびプログラムに関する。
【背景技術】
【０００２】
ひらめきを想起させるに、利用者が入力した第１ワードと、無作為に抽出した第２ワードとを組み合わせて利用者に提供することで、利用者の発想を触発して新たな着想へと導くことができる発想支援装置が発明者らによって提案されている（例えば特願２０１７−１５７６１１号参照）。そして、ひらめきを想起させるにあたって、効率のよいアイデアが出ることが望まれている。
【０００３】
また、テストなどの解答結果に基づいて、学習者の習得に関する特性を抽出する技術が知られている。一般的な学校での授業スタイルでは、講師が受講者の間を回る机間巡視によって、受講者の理解度等を把握していた。しかし、この形態では、１人の講師が１度にチェックできる人数が限られており、各受講者の理解度等を正確かつ迅速に把握することが困難であった。このため、解析装置が、受講者が解答欄に問題の解答を電子ペンシステムで記入した場合に、その筆跡を示す記入情報に基づき、記入者である受講者の理解度や問題の難易度を決定することが提案されている（例えば特許文献１参照）。特許文献１に記載の技術では、電子ペンが回答欄に接触するペンダウンから、回答欄から離れるペンアップまでの軌跡をストローク情報として検出する。そして、特許文献１に記載の技術では、このストローク情報に基づき、問題ごとのストローク数、解答時間、ストローク長、解答用紙内での記入エリアの面積、筆圧、ストローク同士の距離、記入の向き、ストロークの分布などを認識する。さらに、特許文献１に記載の技術では、認識した情報に基づき、受講者が集中しているか、つまずきがあったか、ひらめきがあったか、グループワークがうまくいっているかなどの受講者の状態を検出する。なお、特許文献１に記載の技術では、単位時間ごとのストローク数の増加率が所定値を超えた場合に、ひらめきがあったと判断する。
【先行技術文献】
【特許文献】
【０００４】
【特許文献１】特開２０１５−１６１８９２号公報
【発明の概要】
【発明が解決しようとする課題】
【０００５】
しかしながら、特許文献１に記載の技術では、電子ペンのストロークに基づいて、ひらめきがあったかを検出しているのみで、利用者のひらめきの創出を支援することはできない。
【０００６】
本発明は、上記の問題点に鑑みてなされたものであって、利用者のひらめきの創出を支援し、ひらめき創出の効率化を図ることができる情報提供装置、情報提供方法、およびプログラムを提供することを目的とする。
【課題を解決するための手段】
【０００７】
（１）上記目的を達成するため、本発明の一態様に係る情報提供装置（１）は、第１のワードと、第２ワード群から抽出した第２のワードとを提示する情報提供装置であって、前記第１のワードに対応する複数のワードから構成される前記第２ワード群を記憶し、前記第２ワード群を前記ワードのレベル毎に区分して記憶する第２記憶部（１０３）と、前記第２ワード群から前記第１のワードに対応するワードを前記第２のワードとして抽出するワード抽出部（第２ワード抽出部１０４）と、を備え、前記第１のワードは、ディスカッションテーマであり、前記第２ワード群は、レベル毎に課金体系が異なっている。
【０００８】
（２）また、本発明の一態様に係る情報提供装置において、前記ワードのレベルは、前記ワード抽出部によって過去に抽出された回数であるようにしてもよい。
（３）また、本発明の一態様に係る情報提供装置において、前記第２のワードは、所定の専門家によって予め設定されたものであるようにしてもよい。
（４）また、本発明の一態様に係る情報提供装置において、当該情報提供装置は、アプリケーションによって動作し、前記レベルに基づき、かつ前記アプリケーションの動作状況に応じて課金するようにしてもよい。
（５）また、本発明の一態様に係る情報提供装置において、前記動作状況は、閲覧回数と閲覧時間のすくなくとも１つであるようにしてもよい。
【０００９】
（６）また、本発明の一態様に係る情報提供装置において、前記アプリケーションは、ＷＥＢ上で動作されるものであるようにしてもよい。
（７）また、本発明の一態様に係る情報提供装置において、前記アプリケーションは、記録媒体で提供されるものであるようにしてもよい。
（８）また、本発明の一態様に係る情報提供装置において、少なくとも１つのワードから構成される第１ワード群を記憶し、前記第１ワード群にディスカッションテーマのワード群を記憶しておく第１記憶部（１０１）と、前記第１ワード群からワードを前記第１のワードとして抽出する第１のワード抽出部（第１ワード抽出部１０２）と、を更に備え、当該情報提供装置は、前記第２のワードを抽出する前に前記レベルを提示し、提示した前記レベルの中から選択されたレベルに設定し、前記第１のワード抽出部が抽出した前記第１のワードと、前記ワード抽出部が前記設定されたレベルの前記第２ワード群の中から抽出した前記第２のワードと、を提示するようにしてもよい。
【００１０】
（９）上記目的を達成するため、本発明の一態様に係る情報提供方法は、第１のワードに対応する複数のワードから構成される第２ワード群を記憶し、前記第２ワード群が前記ワードのレベル毎に課金体系が異なっており、前記第２ワード群を前記ワードの前記レベル毎に区分して記憶する第２記憶部を有する情報提供装置における情報提供方法であって、前記情報提供装置が、ディスカッションテーマである前記第１のワードを設定するステップ（ステップＳ１）と、前記情報提供装置が、前記レベルを提示し、提示した前記レベルの中から選択されたレベルに設定するステップ（ステップＳ２）と、前記情報提供装置が、前記第２ワード群から前記第１のワードに対応するワードを第２のワードとして抽出するワード抽出するステップ（ステップＳ４）と、前記情報提供装置が、前記第１のワードと、前記第２のワードとを提示する提示ステップ（ステップＳ５）と、前記情報提供装置が、前記レベルと、前記提示の閲覧回数と閲覧時間の少なくとも１つとに基づいて、使用料金を計算して課金する課金ステップ（ステップＳ３、Ｓ６、Ｓ８）と、を含む。
【００１１】
（１０）上記目的を達成するため、本発明の一態様に係るプログラムは、第１のワードに対応する複数のワードから構成される第２ワード群を記憶し、前記第２ワード群が前記ワードのレベル毎に課金体系が異なっており、前記第２ワード群を前記ワードの前記レベル毎に区分して記憶する第２記憶部を有する情報提供装置のコンピュータに、ディスカッションテーマである前記第１のワードを設定するステップと、前記レベルを提示し、提示した前記レベルの中から選択されたレベルに設定するステップと、前記第２ワード群から前記第１のワードに対応するワードを第２のワードとして抽出するワード抽出するステップと、前記第１のワードと、前記第２のワードとを提示する提示ステップと、前記レベルと、前記提示の閲覧回数と閲覧時間の少なくとも１つとに基づいて、使用料金を計算して課金する課金ステップと、を実行させる。
【発明の効果】
【００１２】
上述した（１）または（９）あるいは（１０）によれば、第１のキーワードと、第１のキーワードに対応しレベルに応じた第２のキーワードとを提供することができるので、利用者のひらめきの創出を支援し、ひらめき創出の効率化を図ることができる。
【００１３】
上述した（２）によれば、第２ワード群のワードを抽出された回数に基づいてレベルが区分されているので、使用するレベルによって想起されるワードを異なるようにすることができる。
上述した（３）によれば、第１のワードに対応した適切な第２のワードを提供することができる。
上述した（４）または（５）によれば、利用者の使用した状況に応じて課金することができる。
上述した（６）によれば、利用者は、このサービスをスマートフォンやタブレット端末等からも利用することができる。また、（６）によれば、第２ワード群やアプリケーションを記憶する必要が無いので、装置の記憶容量が小さくても実行することができる。
上述した（７）によれば、利用者は最新のアプリケーションを利用することができる。
上述した（８）によれば、利用者が行うディスカッションのテーマである第１のワードを状況に応じて抽出することができる。
【図面の簡単な説明】
【００１４】
【図１】本実施形態に係る情報提供装置の構成例を示す図である。
【図２】本実施形態に係る第２記憶部が記憶する情報例を示す図である。
【図３】本実施形態に係る第１ワード群のワードと第２ワード群の例を示す図である。
【図４】本実施形態に係る情報提供装置の使用開始時に表示部上に表示される画像の例を示す図である。
【図５】本実施形態に係る情報提供装置の使用時に表示部上に提示される第１のワードと第２のワードの例である。
【図６】本実施形態に係る情報提供装置が行う処理手順例を示すフローチャートである。
【図７】本実施形態の第１変形例における情報提供装置の構成例を示すブロック図である。
【図８】本実施形態の第２変形例における情報提供装置の構成例を示すブロック図である。
【図９】本実施形態の第３変形例における情報提供システムの構成例を示すブロック図である。
【図１０】第３変形例におけるＷＥＢアプリケーションの提供方法の一例を示す図である。
【発明を実施するための形態】
【００１５】
以下、本発明の実施の形態について図面を参照しながら説明する。
図１は、本実施形態に係る情報提供装置１の構成例を示す図である。図１に示すように、情報提供装置１は、第１記憶部１０１、第１ワード抽出部１０２（第１のワード抽出部）、第２記憶部１０３、第２ワード抽出部１０４（ワード抽出部）、通信部１０５、画像生成部１０６、取得部１２１、および料金計算部１３１を備える。
また、情報提供装置１には、表示部２１、および操作部２３が接続されている。また、情報提供装置１は、記録媒体２４から情報を取得する。
【００１６】
表示部２１は、液晶表示装置、有機ＥＬ（Ｅｌｅｃｔｒｏ  Ｌｕｍｉｎｅｓｃｅｎｃｅ）表示装置、電子インク表示装置等である。表示部２１は、画像生成部１０６が出力する画像を表示する。
【００１７】
操作部２３は、キーボード、マウス、タブレット、タッチパネルセンサ等である。操作部２３は、利用者が操作した操作結果を検出し、検出した操作結果を第１ワード抽出部１０２に出力する。操作部２３は、利用者が操作した操作結果を検出し、検出した操作結果を第２ワード抽出部１０４に出力する。なお、操作部２３は、情報提供装置１と無線ネットワークを介して接続されていてもよい。この場合、操作部２３は、タブレット端末、スマートフォン等であってもよい。利用者は、操作部２３を操作して第１キーワード群のワードを入力する。利用者は、操作部２３を操作して、第２ワード群の使用するレベルを選択する。
【００１８】
記録媒体２４は、例えばＵＳＢ（Ｕｎｉｖｅｒｓａｌ  Ｓｅｒｉａｌ  Ｂｕｓ）メモリー、メモリーカード、光ディスク、磁気ディスク、磁気テープ等のいずれかである。記録媒体２４には、複数のワードから構成される第２ワード群が第１ワード群のワード毎に記憶されている。
【００１９】
第１記憶部１０１は、少なくとも１つのワードから構成される第１ワード群を記憶する。なお、第１記憶部１０１が記憶するワードは、例えばディスカッションのテーマである。なお、第１記憶部１０１は、クラウド上に置かれていてもよい。また、第１記憶部１０１は、複数のワードを記憶する場合、ワード毎に、ディスカッションを行う順番または優先順位またはディスカッションを行う日時等を関連付けて記憶するようにしてもよい。
【００２０】
第１ワード抽出部１０２は、操作部が出力した検出結果に基づいて、ワードを取得し、取得したワードを第１のワードとして画像生成部１０６に出力する。なお、第１ワード抽出部１０２は、取得したワードを第１記憶部１０１に記憶させるようにしてもよい。または、第１ワード抽出部１０２は、第１記憶部１０１が記憶する第１ワード群から１つのワードを第１のワードとして抽出し、抽出した第１のワードを第２ワード抽出部１０４と画像生成部１０６に出力するようにしてもよい。なお、第１ワード抽出部１０２は、予め複数のワードを第１記憶部１０１に記憶させておき、ディスカッション時にランダムに１つを抽出してもよく、その日のディスカッションのテーマを利用者の指示に応じて抽出するようにしてもよい。これにより、本実施形態によれば、利用者が行うディスカッションのテーマである第１のワードを状況に応じて抽出することができる。
【００２１】
第２記憶部１０３は、複数のワードから構成される第２ワード群を記憶する。第２記憶部１０３は、ワードを符号１０３１に示すようにレベル毎に区分して記憶する。なお、レベルとは、第２ワード群のワードのレベルであり、例えば第２ワード抽出部１０４によって抽出された回数に基づいて設定される。例えば、抽出回数が最も多いワードがレベル１であり、抽出回数が最も少ないワードがレベル４である。第１ワード群のワードが複数ある場合、第２記憶部１０３は、第１ワード群のワード毎に第２ワード群を記憶する。なお、第２記憶部１０３が記憶する情報については後述する。なお、第２記憶部１０３は、クラウド上に置かれていてもよい。
【００２２】
第２ワード抽出部１０４は、第１ワード抽出部１０２が出力する第１のワードを取得する。第２ワード抽出部１０４は、操作部２３が出力した操作結果に基づいてレベルを選択する。第２ワード抽出部１０４は、選択したレベルを示す情報を料金計算部１３１に出力する。第２ワード抽出部１０４は、第２記憶部１０３が記憶する第２ワード群の選択したレベルの中から、取得した第１のワードに対応した１つのワードを第２のワードとして抽出し、抽出した第２のワードを画像生成部１０６に出力する。
なお、第２ワード抽出部１０４は、取得した第１のワードに対応した複数のワードを、通信部１０５を介して例えばインターネット上から検索して取得し、取得したワードを第２記憶部１０３に記憶させるようにしてもよい。例えば、第２ワード抽出部１０４は、インターネットの検索エンジンで第１のワードを検索してワードを取得する。
なお、第２ワード抽出部１０４は、取得部１２１が出力する記録媒体２４に記録されている第２ワード群を取得して、取得した第２ワード群を第２記憶部１０３に記憶させるようにしてもよい。
【００２３】
通信部１０５は、無線通信部または有線通信部である。通信部１０５は、第２ワード抽出部１０４の指示に応じてネットワークに接続する。通信部１０５は、検索したワードを取得し、取得したワードを第２ワード抽出部１０４に出力する。通信部１０５は、料金計算部１３１が出力する使用料金を示す情報をネットワークを介して、外部装置（例えば料金集計システム等）へ送信する。
【００２４】
画像生成部１０６は、第１ワード抽出部１０２が出力する第１のワードと、第２ワード抽出部１０４が出力する第２のワードとを１つの画像として生成して表示部２１に出力する。なお、表示部２１に出力される画像は、第１のワードのテキスト画像と第２のワードのテキスト画像とを含む。画像生成部１０６は、料金計算部１３１が出力する情報提供装置１の使用料金の画像を表示部２１に出力する。
【００２５】
取得部１２１は、記録媒体２４に記録されている情報を取得し、取得した情報を第２ワード抽出部１０４に出力する。取得部１２１は、記録媒体２４がＵＳＢメモリーの場合にＵＳＢ端子を含み、記録媒体２４がメモリーカードの場合にメモリーカード読み取り機を含み、記録媒体２４が光ディスクの場合に光ディスク読み取り装置を含み、記録媒体２４が磁気ディスクの場合に磁気ディスク読み取り装置を含む。
【００２６】
料金計算部１３１は、第２ワード抽出部１０４が出力するレベルを示す情報と、第２記憶部１０３が記憶する料金とに基づいて、情報提供装置１の使用料金を計算する。料金計算部１３１は、計算した使用料金を画像生成部１０６に出力する。または、料金計算部１３１は、計算した使用料金を通信部１０５を介して外部装置（不図示）へ送信する。ここで、外部装置は、例えば、利用者が使用するパーソナルコンピュータ、スマートフォン、およびタブレット端末等である。
【００２７】
次に、第２記憶部１０３が記憶する情報例を説明する。
図２は、本実施形態に係る第２記憶部１０３が記憶する情報例を示す図である。
図２に示すように、第２記憶部１０３は、第１ワード群のワードに対応付けて、レベル分けされた第２ワード群と、料金とを記憶する。また、第２記憶部１０３は、これらの情報を第１ワード群のワード毎に記憶する。
【００２８】
なお、第２ワード群は、少なくとも１つのワードを含む。図２に示す例では、第２ワード群は、レベル１〜レベルｎ（ｎは１以上の整数）に区分けされている。レベル１の第２ワード群は、ワード「ＡＡＡ」、「ＢＢＢ」と「ＣＣＣ」を含む。なお、図２に示す例では、レベル１は最も使用される頻度が高いワードであり、レベル２はレベル１より使用される頻度が低くレベル２より使用される頻度が高いワードであり、レベルｎは最も使用される頻度が低いワードである。そして、本実施形態では、これらのレベル毎に料金が設定されている。図２に示す例では、レベル１の料金が１０００円であり、レベル２の料金が９００円であり、レベルｎの料金が０円である。なお、頻度が低い方が、利用者によって思いもよらない発想を得られる場合もありえる。このため、頻度が低い方をレベル１とし、頻度が高い方をレベル４としてもよい。
【００２９】
なお、レベルの区分けは、第１のワードに対応する第２のワードとしての選択される頻度に基づいてレベルや料金が設定されている。または、レベルの区分けは、第１のワードに対応する第２のワードとして選択して提示した結果、利用者が出した結論の善し悪しに基づいてレベルや料金が設定されている。なお、結論の善し悪しは、例えば利用者が自己評価するようにしてもよい。
【００３０】
次に、第１ワード群のワードと第２ワード群の例を説明する。
図３は、本実施形態に係る第１ワード群のワードと第２ワード群の例を示す図である。符号ｇ１１は、第１ワード群のワードの例である。符号ｇ１２は、第２ワード群の例である。
【００３１】
第１ワード群のワードは、利用者が設定するワード（設定ワード）である。図３に示す例では、第１ワード群のワードが「スキー」である。この第１ワード群のワードは、例えば、利用者が操作部２３を操作して入力する。または、情報提供装置１が使用される際、少なくとも１つの第１ワード群のワードが、第１ワード群として第１記憶部１０１に記憶されている。
【００３２】
第２ワード群のワードは、第１ワード群のワードに対応したものである。図３に示す例では、第２ワード群が「温泉、登山、ドライブ」である。この第２ワード群のワードは、記録媒体２４から取得、または通信部１０５を介して取得され、第２記憶部１０３が記憶する情報である。少なくとも１組の第２ワード群を第２記憶部１０３に記憶させた後に、情報提供装置１の利用が開始される。
【００３３】
なお、第２ワード群のワードは、第１ワード群のワードを用いて例えば検索エンジンを用いて、通信部１０５を介してインターネット上から検索した結果の上位であってもよい。
また、第２ワード群のワードは、所定の専門家によって予め設定されたものであってもよい。なお、所定の専門家とは、ワードが例えばスキーの場合、スキー選手やスキーヤー向けのペンションやホテルの経営者、旅行代理店、広告代理店等のメンバーであってもよい。
【００３４】
次に、情報提供装置１の使用の際に表示部２１上に表示される画像例を説明する。
図４は、本実施形態に係る情報提供装置１の使用開始時に表示部２１上に表示される画像ｇ２０の例を示す図である。
符号ｇ２０は表示部２１上に表示される画像例である。使用開始時、表示部２１上には、第１のワード（符号ｇ２１）と、使用する第２のワードのレベルの選択画像ｇ２２が表示される。
【００３５】
利用者は、操作部２３を操作してレベルを選択する。情報提供装置１は、操作部２３が操作された結果に基づいて、そのレベルの第２ワード群から、第１のワードに対応する１つの第２のワードを選択する。
なお、情報提供装置１は、レベルの選択画像に対応付けて、各レベルの料金も表示させるようにしてもよい。
【００３６】
図５は、本実施形態に係る情報提供装置１の使用時に表示部２１上に提示される第１のワードと第２のワードの例である。
符号ｇ３１は、表示部２１上に表示される画像である。符号ｇ３２は、第１のワードの画像である。符号ｇ３３は、第２のワードの画像である。なお、表示部２１上の表示は一例であり、これに限らない。例えば、第１のワードがディスカッションテーマである場合、情報提供装置１は、符号ｇ３１の画像に「ディスカッションテーマ」の文字の画像をさらに表示させるようにしてもよい。
【００３７】
図５に示す例において、情報提供装置１は、第１のワードとして「スキー」を抽出または設定し、第１のワードに対応する第２のワードとして「温泉」を抽出して提示した例である。
なお、図５に示した第１のワードと第２のワードの提示例は一例であり、これに限らない。情報提供装置１は、第１のワードと第２のワードを上下に並べて提示してもよく、特願２０１７−１５７６１１号に記載のように各ワードに対応する色とともに提示してもよく、特願２０１７−１５７６１１号に記載のように各ワードをアニメーションで提示させるようにしてもよい。
【００３８】
利用者は、このように提示された２つのワード「スキー」と「温泉」を見て、この２つのワードから新たなワードを想起する。利用者が想起したワードは、例えば「蔵王」、「宴会」、「ナイター」等であったとする。
このように、利用者は、提示された２つのワードから新たなワードを想起する際に、情報提供装置１を用いる。そして、情報提供装置１の使用開始時に、利用者は、例えばディスカッションのテーマである第１にワードに対応する第２のワードを、どのレベルから選んでもらうか、希望のレベルを選択する。
【００３９】
次に、情報提供装置１が行う処理手順例を説明する。
図６は、本実施形態に係る情報提供装置１が行う処理手順例を示すフローチャートである。
【００４０】
（ステップＳ１）利用者は、操作部２３を操作して第１のワードを設定する。または、第１ワード抽出部１０２は、第１記憶部１０１が記憶する第１ワード群から１つのワードを第１のワードとして抽出する。
【００４１】
（ステップＳ２）利用者は、操作部２３を操作してレベルを選択する。第２ワード抽出部１０４は、操作部２３の操作結果に基づいて、レベルを設定する。
【００４２】
（ステップＳ３）料金計算部１３１は、閲覧回数の計測を開始する。
（ステップＳ４）第２記憶部１０３が記憶する第２ワード群の選択したレベルの中から、取得した第１のワードに対応した１つのワードを第２のワードとして抽出する。
【００４３】
（ステップＳ５）情報提供装置１は、第１のワードと第２のワードを提示する。
（ステップＳ６）料金計算部１３１は、閲覧回数を計測する。
【００４４】
（ステップＳ７）料金計算部１３１は、利用者の閲覧が終了したか否かを判別する。料金計算部１３１は、閲覧が終了したと判別した場合（ステップＳ７；ＹＥＳ）、ステップＳ８に処理を進め、閲覧が終了していないと判別した場合（ステップＳ７；ＮＯ）、ステップＳ６に処理を戻す。
【００４５】
（ステップＳ８）料金計算部１３１は、閲覧回数とレベルに設定されている料金に基づいて使用料金を計算する。例えば、料金計算部１３１は、使用料金を、（閲覧回数）に（レベルに設定されている料金）を乗じて計算する。
以上で、情報提供装置１は処理を終了する。
【００４６】
なお、提示された２つのワードによってワードが想起された否かを検出するため、料金計算部１３１は、例えば、利用者が想起した際に操作部２３によって入力される毎にカウントする。
【００４７】
なお、図６では、閲覧回数を計測して使用料金を計算する例を説明したが、これに限らない。料金計算部１３１は、閲覧時間を計測して、使用料金を、（閲覧時間）に（レベルに設定されている料金）を乗じて計算するようにしてもよい。
また、図６の処理において、第１のワードと第２のワードが提示された後、１つのワードが想起される毎に閲覧回数を計測するようにしてもよい。そして料金計算部１３１は、レベルと、閲覧回数と閲覧時間の少なくとも１つとに基づいて使用料金を計算して課金する。
【００４８】
以上のように、本実施形態では、ディスカッションテーマである第１のワードに対応する第２のワードをレベルに区分けして記憶するようにした。また、本実施形態では、レベル毎に料金を設定するようにした。
【００４９】
これにより、本実施形態によれば、利用者は、レベルの料金を見て、どのレベルの第２のワードを使用するか選択することができる。例えば、利用者は、ディスカッションテーマが重要なテーマの場合に料金の高くてもレベル１を選択し、ディスカッションテーマが余り重要ではないテーマの場合に料金の安い低いレベルを選択することができる。この結果、本実施形態によれば、利用者のひらめきの創出を支援し、ひらめき創出の効率化を図ることができる。
【００５０】
＜第１変形例＞
提示された２つのワードによってワードが想起された否かを検出するため、利用者が想起した際に利用者の発話を音声認識して係り受け解析等を行うことで想起された回数をカウントするようにしてもよい。
【００５１】
図７は、本実施形態の第１変形例における情報提供装置１Ａの構成例を示すブロック図である。なお、情報提供装置１と同じ機能を有する機能部には同じ符号を用いて説明を省略する。図７に示すように、情報提供装置１Ａは、第１記憶部１０１、第１ワード抽出部１０２（第１のワード抽出部）、第２記憶部１０３、第２ワード抽出部１０４Ａ（ワード抽出部）、通信部１０５、画像生成部１０６、取得部１２１、料金計算部１３１Ａ、音声取得部１０７、音声認識辞書ＤＢ１０８、音声認識部１０９、テキスト変換部１１０、係り受け解析部１１１、議事録作成部１１２、および議事録記憶部１１３を備える。
また、情報提供装置１Ａには、表示部２１、収音部２２、および操作部２３が接続されている。
【００５２】
収音部２２は、マイクロフォンである。収音部２２は、音声信号を収音し、収音した音声信号を音声取得部１０７に出力する。なお、会議の参加者が複数の場合、収音部２２を利用者毎に使用する。
【００５３】
音声取得部１０７は、収音部２２が出力する音声信号を取得する。音声取得部１０７は、取得したアナログ信号の音声信号をデジタル信号に変換し、変換した音声信号を音声認識部１０９に出力する。
【００５４】
音声認識辞書ＤＢ１０８は、例えば音響モデル、言語モデル、単語辞書等が格納されているデータベースである。音響モデルとは、音の特徴量に基づくモデルであり、言語モデルとは、単語とその並び方の情報のモデルである。また、単語辞書とは、多数の語彙による辞書であり、例えば大語彙単語辞書である。
【００５５】
音声認識部１０９は、音声取得部１０７が出力する音声信号を取得する。音声認識部１０９は、音声取得部１０７が出力した音声信号から発話区間の音声信号を検出する。発話区間の検出は、例えば所定のしきい値以上の音声信号を発話区間として検出する。なお、音声認識部１０９は、発話区間の検出を周知の他の手法を用いて行ってもよい。音声認識部１０９は、検出した発話区間の音声信号に対して、音声認識辞書ＤＢ１０８を参照して、周知の手法を用いて音声認識を行う。なお、音声認識部１０９は、例えば特開２０１５−６４５５４号公報に開示されている手法等を用いて音声認識を行う。音声認識部１０９は、認識した認識結果をテキスト変換部１１０に出力する。なお、音声認識部１０９は、認識結果と音声信号とを、例えば１文毎に、または発話句間毎に出力する。
【００５６】
テキスト変換部１１０は、音声認識部１０９が出力した認識結果を、音声認識辞書ＤＢ１０８を参照してテキストに変換する。テキスト変換部１１０は、変換したテキスト情報を係り受け解析部１１１に出力する。なお、音声認識部１０９は、「あー」、「えーと」、「えー」、「まあ」等の間投詞を削除してテキストに変換するようにしてもよい。
【００５７】
係り受け解析部１１１は、テキスト変換部１１０が出力したテキスト情報に対して音声認識辞書ＤＢ１０８を参照して形態素解析と係り受け解析を行う。係り受け解析には、例えば、Ｓｈｉｆｔ−ｒｅｄｕｃｅ法や全域木の手法やチャンク同定の段階適用手法においてＳＶＭ（Ｓｕｐｐｏｒｔ  Ｖｅｃｔｏｒ  Ｍａｃｈｉｎｅｓ）を用いる。係り受け解析部１１１は、テキスト変換部１１０が出力したテキスト情報と係り受け解析した結果を議事録作成部１１２に出力する。
また、係り受け解析部１１１は、係り受け解析した結果に基づいて間投詞等を除去してワードを抽出する。係り受け解析部１１１は、抽出したワードを第２ワード抽出部１０４Ａに出力する。
【００５８】
議事録作成部１１２は、係り受け解析部１１１が出力するテキスト情報に基づいて、
議事録を作成し、作成した議事録情報を議事録記憶部１１３に記憶させる。議事録作成部１１２は、作成した議事録情報に関連する音声信号を議事録記憶部１１３に記憶させるようにしてもよい。
【００５９】
議事録記憶部１１３は、議事録作成部１１２が作成した議事録の議事録情報を記憶する。なお、議事録記憶部１１３は、議事録情報に対応付けて会議の音声信号も記憶するようにしてもよい。
【００６０】
第２ワード抽出部１０４Ａは、第２ワード抽出部１０４が行う処理に加えて、係り受け解析部１１１が出力するワードを取得する。第２ワード抽出部１０４Ａは、ワードを取得したことを示す情報を料金計算部１３１Ａに出力する。
【００６１】
料金計算部１３１Ａは、料金計算部１３１が行う処理に加えて、料金計算部１３１Ａは、第２ワード抽出部１０４Ａが出力するワードを取得したことを示す情報を取得した際、閲覧回数のカウントを１つ増やす。
【００６２】
以上のように、第１変形例によれば、話者の発話に対して音声認識処理等を行うことで、２つのワードを提示した際にワードが想起されたことを計測して課金することができる。なお、情報提供装置１Ａは、所定のフレーズが発話されたことに基づいてワードが想起されたことを判定してもよい。所定のフレーズとは、例えば「そうか！」や「それだ！」等である。これらのフレーズは、音声認識辞書ＤＢ１０８に記憶させておく。
【００６３】
＜第２変形例＞
なお、図１の情報提供装置１または図７の情報提供装置１Ａは、ＣＰＵ（中央演算装置）やＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）や通信部によって構成されるようにしてもよい。この場合、情報提供装置１または情報提供装置１Ａが行う動作を、ＣＰＵがアプリケーションによって実現するようにしてもよい。
【００６４】
図８は、本実施形態の第２変形例における情報提供装置１Ｂの構成例を示すブロック図である。図８に示す構成は、情報提供装置１Ａの構成をＣＰＵ等で構成した例である。
図８に示すように、情報提供装置１Ｂは、ＣＰＵ１４１、ＲＡＭ１４２、ＲＯＭ１４３、および通信部１４４を備えている。ＣＰＵ１４１、ＲＡＭ１４２、ＲＯＭ１４３、および通信部１４４は、ＢＵＳ（バス）を介して接続されている。また、情報提供装置１Ｂには、表示部２１、収音部２２、操作部２３が接続されている。また、情報提供装置１Ｂは、記録媒体２４から情報を取得する。
【００６５】
この場合、ＲＯＭ１４３がアプリケーションを予め記憶していてもよい。または、アプリケーションは、記録媒体２４によって提供されるものであってもよい。あるいは、アプリケーションは、通信部１４４によってネットワークから取得するものであってもよい。この場合、アプリケーションにはレベル毎に区分けされ料金が設定されている第２ワード群を含んでいてもよい。
【００６６】
このように、情報提供装置１または情報提供装置１Ｂが行う動作を、ＣＰＵ１４１がアプリケーションによって実現する場合の課金方法例を説明する。
例えば、情報提供装置１では、利用者が操作部２３によってワードを入力したとき閲覧した（想起された）として、閲覧回数をカウントするようにした。
また、情報提供装置１Ａでは、話者の発話に対して音声認識処理等を行って、話者がワードを発話したとき、閲覧回数をカウントするようにした。
【００６７】
第２変形例では、情報提供装置１または情報提供装置１ＢにおけるＣＰＵ１４１は、アプリケーションの動作状況に応じて課金する。アプリケーションの動作状況とは、例えば操作部２３が操作されワードが入力されたことを検出した状況や、話者の発話からワードが認識できた状況等である。このような動作状況において、ＣＰＵ１４１は、ワードが想起された、すなわち閲覧回数として計測する。そして、ＣＰＵ１４１は、このような動作状況に応じて閲覧回数をカウントして、使用されたレベルに基づいて使用料金を計算する。なお、ＣＰＵ１４１は、閲覧時間とレベルに基づいて使用料金を計算するようにしてもよい。このように、ＣＰＵ１４１は、レベルと、閲覧回数と閲覧時間の少なくとも１つとに基づいて使用料金を計算して課金する。
【００６８】
第２変形例では、アプリケーションをＣＰＵが実行することで、第１のワードに対応し、かつ選択されたレベルの第２のワードを選択して、第１のワードと第２のワードを提示するようにした。
これにより、第２変形例によれば、アプリケーションを記録媒体２４（ＵＳＢメモリー、メモリーカード、光ディスク、磁気ディスク、磁気テープ等）によって供給またはアップデートすることができる。また、これにより、第２変形例によれば、利用者は最新のアプリケーションを利用することができる。また、これにより、第２変形例によれば、利用者は、自分で所有している装置（例えばパーソナルコンピュータ、タブレット端末、スマートフォン等）を用いて実行させて利用することができる。
【００６９】
＜第３変形例＞
上述した実施例では、情報提供装置１（または１Ａ、１Ｂ）が予め記憶するアプリケーションまたは記録媒体２４によって提供されたアプリケーションによって処理を行う例を説明したが、これに限らない。上述したアプリケーションは、ＷＥＢ（Ｗｏｒｌｄ  Ｗｉｄｅ  Ｗｅｂ）アプリケーションであってもよい。
【００７０】
図９は、本実施形態の第３変形例における情報提供システム１Ｃの構成例を示すブロック図である。
図９に示すように、情報提供システム１Ｃは、コンピュータ１００とＷＥＢアプリケーションサーバ３０を含んで構成される。コンピュータ１００は、ネットワーク４１を介して、ＷＥＢアプリケーションサーバ３０と接続される。ネットワーク４１は、例えばインターネットである。
【００７１】
コンピュータ１００は、ＣＰＵ１４１、ＲＡＭ１４２、ＲＯＭ１４３、および通信部１４４を備えている。ＣＰＵ１４１、ＲＡＭ１４２、ＲＯＭ１４３、および通信部１４４は、ＢＵＳ（バス）を介して接続されている。また、コンピュータ１００には、表示部２１、収音部２２、操作部２３が接続されている。なお、コンピュータ１００は、スマートフォン、タブレット端末等であってもよい。
ＷＥＢアプリケーションサーバ３０は、ＣＰＵ３１、ＲＡＭ３２、ＲＯＭ３３、および通信部３４を備えている。
【００７２】
コンピュータ１００は、利用者の操作に応じて、アプリケーションを提供するサイトにアクセスする。コンピュータ１００は、ＷＥＢアプリケーションサーバ３０によって提供されるアプリケーションによって、第１のワードと第２のワードを表示部２１上に表示させる。この第２のワードは、ＷＥＢアプリケーションサーバ３０によって選択されたワードである。また、利用者によって選択されたレベルの第２ワード群から抽出されたワードでもある。なお、アプリケーションは、ブラウザ上で動作するＪａｖａ（登録商標）やＷＥＢ４等によるＷＥＢアプリケーションであってもよい。
【００７３】
ＷＥＢアプリケーションサーバ３０によってアプリケーションが実行される場合、使用料金の計算は、コンピュータ１００が行ってＷＥＢアプリケーションサーバ３０に通知してもよく、ＷＥＢアプリケーションサーバ３０が計測して計算してもよい。ＷＥＢアプリケーションサーバ３０は、例えば閲覧回数または閲覧時間とレベルに基づいて、使用料金を計算するようにしてもよい。そして、ＣＰＵ１４１またはＷＥＢアプリケーションサーバ３０は、レベルと、閲覧回数と閲覧時間の少なくとも１つとに基づいて使用料金を計算して課金する。
【００７４】
図１０は、第３変形例におけるＷＥＢアプリケーションの提供方法の一例を示す図である。符号ｇ１００は、表示部２１上に表示される画像であり、コンピュータ１００が「ＸＸニュース」のサイトにアクセスした際に表示される画像である。
符号ｇ１００の画像には、記事画像ｇ１０１と、バナーボタン画像ｇ１０２が含まれている。利用者は、このバナーボタン画像ｇ１０２を、操作部２３を操作して選択する。バナーボタン画像ｇ１０２が選択された場合、コンピュータ１００とＷＥＢアプリケーションサーバ３０とがネットワーク４１を介して接続され、コンピュータ１００がＷＥＢアプリケーションサーバ３０によって提供されるアプリケーションを実行する。この結果、表示部２１上には、例えば図４に示した画像ｇ２０が表示される。なお、第１のワードは、利用者が操作部２３を操作して入力する。
【００７５】
以上のように、第３変形例によれば、利用者はＷＥＢ経由で提供されるアプリケーションによって、ブラウザを用いて２つのワードの提示により「ひらめきエンジン」のサービスを利用することができる。この結果、利用者は、このサービスをスマートフォンやタブレット端末等からも利用することができる。
また、第３変形例によれば、コンピュータ１００は、第２ワード群やアプリケーションを記憶する必要が無いので、コンピュータ１００の記憶容量が小さくても実行することができる。
【００７６】
なお、本発明における情報提供装置１（または１Ａ，１Ｂ）の機能の全てまたは一部を実現するためのプログラムをコンピュータ読み取り可能な記録媒体に記録して、この記録媒体に記録されたプログラムをコンピュータシステムに読み込ませ、実行することにより情報提供装置１（または１Ａ，１Ｂ）が行う処理の全てまたは一部を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７８】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【００７９】
１，１Ａ，１Ｂ…情報提供装置、１０１…第１記憶部、１０２…第１ワード抽出部、１０３…第２記憶部、１０４，１０４Ａ…第２ワード抽出部、１０５…通信部、１０６…画像生成部、１２１…取得部、１３１，１３１Ａ…料金計算部、２１…表示部、２２…収音部、２３…操作部、１Ｃ…情報提供システム、１００…コンピュータ、１４１…ＣＰＵ、１４２…ＲＡＭ、１４３…ＲＯＭ、１４４…通信部
【図１】
2019179484.tif 000003
【図２】
2019179484.tif 000004
【図３】
2019179484.tif 000005
【図４】
2019179484.tif 000006
【図５】
2019179484.tif 000007
【図６】
2019179484.tif 000008
【図７】
2019179484.tif 000009
【図８】
2019179484.tif 000010
【図９】
2019179484.tif 000011
【図１０】
2019179484.tif 000012